【事件の表示】
　特許第２７６８１９２号「テープ印字装置」の特許に対する特許異議の申立てについて、次のとおり決定する。
【結論】
　訂正を認める。
　特許第２７６８１９２号の特許を維持する。
【理由】
Ｉ．手続きの経緯
　本件特許第２７６８１９２号発明は、平成５年１月７日に特許出願され、平成１０年４月１０日にその特許の設定登録がなされ、その後、林清美、石塚輝より特許異議の申立てがなされ、取消理由通知がなされ、その指定期間内である平成１１年７月１９日に訂正請求がなされたものである。
ＩＩ．訂正の適否についての判断
１．訂正の要旨
　▲１▼訂正事項ａ
　特許請求の範囲の請求項１中の「前記テープの幅を検出するテープ幅検出手段と、」を「前記テープを収納したテープカセットに設けられた判別部材に基づいて前記テープの幅を検出するテープ幅検出手段と、前記テープにおける印字可能な最大サイズの大きさの文字を少なくとも含み、」と訂正するものである。
　▲２▼訂正事項ｂ
　特許明細書の段落【０００９】中の「テープの幅を検出するテープ幅検出手段と、」を「前記テープを収納したテープカセットに設けられた判別部材に基づいてテープの幅を検出するテープ幅検出手段と、前記テープにおける印字可能な最大サイズの大きさの文字を少なくとも含み、」と訂正するものである。
　▲３▼訂正事項ｃ
　特許明細書の段落【００１０】中の「テープ幅検出手段の検出したテープ幅に対応する」を「テ一プを収納したテープカセットに設けられた判別部材に基づいてテ−プ幅検出手段の検出したテ−プ幅に対応するそのテープ幅における印字可能な最大サイズの大きさの文字を少なくとも含む」と訂正するものである。
　▲４▼訂正事項ｄ
　特許明細書の段落【００５９】中の「拘らずテストパターン」を「拘らず、テープを収納したテープカセットに設けられた判別部材に基づいてテープ幅検出手段の検出したテープ幅に対応したそのテープ幅における印字可能な最大サイズの大きさの文字を少なくとも含むテストパターンデータを記憶手段から読みだして、テストパターン」と訂正するものである。
２．訂正の目的、新規事項禁止、拡張変更禁止の各要件の判断
　▲１▼訂正事項ａは、テープ幅検出手段とテストパターン用データについて、願書に添付した明細書又は図面に記載した事項（特に、明細書段落【００１５】【００４３】【００４５】等参照。）の範囲内で限定するものであり、特許請求の範囲の減縮を目的とするものであって、上記各要件を満たすものである。
　▲２▼訂正事項ｂ，ｃ，ｄは、上記訂正事項ａとの整合を図るものであり、上記各要件を満たすものである。
３．独立特許要件の判断と訂正の適否のまとめ
　以下に述べるように、訂正後の発明は特許出願の際独立して特許を受けることができない発明とすることはできないことから、上記訂正は、特許法１２０条の４第２項及び同条第３項で準用する第１２６条第２乃至４項の規定に適合するので、当該訂正を認める。
ＩＩＩ．異議申立についての判断
１．本件請求項１に係る発明
　本件請求項１に係る発明は、訂正明細書及び図面の記載からみて、訂正明細書の特許請求の範囲の請求項１に記載された事項により特定される次のとおりのものである。
「【請求項１】所定のキー操作により予め定められたテストパターンを印字手段によりテープ上に印字するテスト印字機能を備えたテープ印字装置において、前記テープを収納したテープカセットに設けられた判別部材に基づいて前記テープの幅を検出するテープ幅検出手段と、前記テープにおける印字可能な最大サイズの大きさの文字を少なくとも含み、テープ幅に応じて印字内容の異なる複数種類のテストパターンを印刷するためのテストパターン用データを記憶する記憶手段と、所定のキーが操作されると前記テープ幅検出手段が検出したテープ幅に対応するテストパターンデータを前記記憶手段から読み出して、印字手段により該データに基づいてテストパターンをテープ上に印字する印字制御手段とを備えたことを特徴とするテープ印字装置。」
２．取消理由の引用刊行物
　これに対して、当審が通知した取消理由で引用した刊行物は次のとおりである。
　刊行物１：「ＴＥＰＲＡ　ＰＲＯ　ＳＲ６０６取扱説明書」ＫＩＮＧ　ＪＩＭ
　ａ．デモ印刷について、シフトと削除取消を押し、ＡＢＣ入力にし、ｄｅｍｏと入力し、シフトと変換スペースを押し、デモ印刷されて出てきたテープをカットし、デモ印刷が正常に行われたかを確認すること（１５０頁）、
　ｂ．印刷見本について、テープ幅が、２４，１８，１２ミリが同じ内容であり、９，６ミリが同じ内容であり、２４，１８，１２ミリの３行部分が９，６ミリでは２行であり、２４ミリと１８ミリとの文字サイズが同じであり、これから１２，９，６ミリへと順に文字サイズが小さくなること（１５１頁）、
　ｃ．仕様について、「テープ幅検出　Ｐテープ規格検出孔対応、３素子８種検出」の記載があること（１７２頁）、
等が記載されている。
　刊行物２：　「ＮＡＭＥ　ＬＡＮＤ　漢字ラベルライターＫＬ−１０００　取扱説明書」ＣＡＳＩＯ　１９９１年１１月現在用
　ａ．９ミリテープは２行まで、１８ミリテープは４行まで印刷できること（６頁）、
　ｂ．電源をＯＮにして表示される画面にテープ幅を示す矢印が表示され、「テープ幅：本体にセットしたインクリボンカセットのテープの幅を示します。」の説明記載があること（２８頁）、
　ｃ．デモ印刷について、「電源を入れたあと文字を何も打たないで、印刷を押すと「デモ印刷」をすることができます。」の記載があること（６５頁）、
　ｄ．デモ印刷例について、９ミリテープは１，２行印字の例、１８ミリテープは２，３，４行印字の例であり、「美しい」の印字は１８ミリテープの方が大きく、「文字」の印字は双方同じ大きさであること（６６頁）、
等が記載されている。
　刊行物３：特開昭６３−２９３０７７号公報
　ａ．印字テストパターンの出力指示手段と、印字テストパターンの文字情報とその単位サイズとの記憶手段と、記録待機中の被記録媒体のサイズ検知手段と、検知手段と記憶手段から読み出した単位サイズとから印字テストパターンの出力量又は出力範囲を決定して記録手段に出力する制御手段、等からなる文字出力装置であること（特許請求の範囲等）、
　ｂ．上記被記録媒体は用紙であり、そのサイズはＢ４，Ｂ５，Ａ４等であること（第３図とその説明）、
　ｃ．上記決定は、具体的には、現給紙台上の用紙に出力展開可能なテストパターンの文字数を算出することであること（３頁右下欄）、
　ｄ．意味のある文字・記号のフォントパターンを用紙上に印字して印字品質の検査を行うものであり、チェック模様やハッチング模様や散点模様等のイメージデータも用いられ得ること（４頁右上欄〜同左下欄）、
等が記載されている。
　刊行物４：実願平１−１３５１４６号（実開平３−７２４６１号）のマイクロフイルム
　ａ．テープ幅の異なる２種類のテープカセットは、保持部５に装着したときに、作動突起１３を押すか否かで検出器１５で識別されること（５頁、１，　３図等）、
　ｂ．ＲＯＭ２９には大小の文字の文字データが記憶され、装着されたテープカセットのテープ幅の検出に応じて、広幅テープに印刷するときは大文字の文字データから、狭幅テープに印刷するときは小文字の文字データから、それぞれ読み出してテープに印刷することにより、テープから文字がはみ出したりテープ幅に対して文字が小さすぎるのを防止すること（２，　６頁、３図等）、等が記載されている。
３．対比・判断
　本件請求項１に係る発明と刊行物２記載の発明とを対比するに、刊行物２の上記記載事項ｃからみて、刊行物２記載の発明も、所定のキー操作により予め定められたテストパターンを印字手段によりテープ上に印字するテスト印字機能を備えたテープ印字装置である。
　また、刊行物２の上記記載事項ｂからみて、セットされたテープカセットのテープ幅が表示されることは示されているが、自動的に検出しているのか否か、テープカセットに判別部材が設けられているのか否か、検出に基づいて読み出すテストパターンデータを自動的に決定しているのか否か、等については定かではない。
　さらに、刊行物２の上記記載事項ａ，ｄからみて、テープ幅に応じて印字内容の異なる複数種類のテストパターンを印刷することは示されているが、１８ミリテープの印刷例には１行印字がないことから印字可能な最大サイズの大きさの文字を少なくとも含んでいるとは言えず、印字可能な文字サイズや修飾を確認するという課題が明確に示されているとも言えない。
　これらのことから、本件請求項１に係る発明と刊行物２記載の発明とは、所定のキー操作により予め定められたテストパターンを印字手段によりテープ上に印字するテスト印字機能を備えたテープ印字装置において、テープ幅に応じて印字内容の異なる複数種類のテストパターンを印刷するためのテストパターン用データを記憶する記憶手段と、所定のキーが操作されるとテープ幅に対応するテストパタ−ンデ−タを前記記憶手段から読み出して、印字手段により該データに基づいてテストパターンをテープ上に印字する印字制御手段とを備えたテープ印字装置、である点で一致し、次の点で相違する。
　相違点１：前者が、テープカセットに設けられた判別部材に基づいてテープの幅を検出するテープ幅検出手段を有するのに対して、後者は、このようなテープ幅検出手段を有するのか否か定かでない点。
　相違点２：前者が、テープ幅検出手段による検出に対応してテストパターンデータを読み出すのに対して、後者は、これが定かでない点。
　相違点３：前者が、テストパターンデータにテープにおける印字可能な最大サイズの大きさの文字を少なくとも含むのに対して、後者は、これを含んでいない点。
　相違点１について検討するに、刊行物４の上記記載事項ａからみて、そのテープカセットには作動突起１３に対応する判別部材が設けられているものと認められ、これを刊行物２記載の発明のテープカセットに適用することは容易なことと認められるため、相違点１に格別のものは認められない。
　相違点２について検討するに、この点については刊行物３，４にも明確な記載はない。
　すなわち、刊行物３記載の発明は、用紙への印字品質を検査するためのものであってテープに印字可能なものを確認するものではなく、サイズ検知手段は記録待機中のＢ４やＢ５やＡ４の用紙のサイズを検出するものであってテープ幅を検出するものではなく、テストパターンの文字は単位サイズのものであってテープの幅毎に異なる種類のものではなく、サイズ検知によって用紙に出力展開可能なテストパターンの文字数を算出するものであってテープ幅毎に定められたテストパターンデータを読み出すものではない。
　また、刊行物４記載の発明は、その上記記載事項ｂからみて、入力した文字を印刷するときにテープ幅検出に対応して大小いずれの印刷文字を用いるかを決めているものであって、文字を入力しなくてもテープ幅検出に対応して既に定められた文字を印字するというものではなく、その示唆もない。
　相違点３について検討するに、この点については刊行物３，４にも全く記載はない。
　そして、本件請求項１に係る発明は、特に相違点２，３により、テープ幅毎に印字できる文字や修飾を容易に確認できるという格別の作用効果を奏するものと認められるから、刊行物２乃至４に記載された発明に基づいて当業者が容易に発明をすることができたものであるとは認められない。
　なお、刊行物１については、本件出願前に公知であったことを明確に証するものが見当たらないため、公知文献として採用しない。
４．特許異議申立人の主張
　申立人林清美は、甲第１，３号証として上記刊行物１，３を、甲第２号証として１９９２年１１月１２日付け日経産業新聞を提出し、甲第１号証の取扱説明書が本件出願前公知であると、或いはそれに係る商品が本件出願前に販売されたものであると主張している。
　しかし、甲第１号証には、最終頁に「１９９２Ｐｒｉｎｔｅｄ　ｉｎ　Ｊａｐａｎ」と記載されているのみであり、この記載のみからでは甲第１号証が確かに１９９２年内に印刷されたものであるのか否か、本件出願前に頒布されたものであるのか否か確認できない。
　また、甲第２号証には、「十二月一日に売り出す。」との予告記事があるだけで、これのみからでは甲第１号証に係る商品が本件出願前に実際に販売されたか否か確認できない。
　そして、甲第１号証と甲第２号証のそれぞれの上記記載を勘案しても、甲第１号証の取扱説明書が本件出願前公知であるともそれに係る商品が本件出願前に販売されたものであるとも確証が得られないため、この主張は採用できない。
　なお、甲第１号証記載の発明は、刊行物１の上記記載事項ｃからみて、テープ幅検出手段を有するとは認められるものの、テープカセットに設けられた判別部材に基づくものか否か定かではなく、また、同記載事項ａを勘案しても検出に基づいて読み出すテストパターンデータを自動的に決定しているのか否か定かではなく、さらに、同記載事項ａ，ｂからみて、テープ幅毎に種類の異なるデモ印刷が正常に行われているか否かを確認するものであることは記載されているが、テープにおける印字可能な最大サイズの大きさの文字を少なくとも含んでテープ幅毎に印字できる文字や修飾を確認できるものであるか否かは定かでない。
　すなわち、甲第１号証記載の発明にも、本件請求項１に係る発明と対比すると、上記相違点１乃至３が認められるものである。
　申立人石塚輝は、上記刊行物２，４をそれぞれ甲第１号証、参考資料として提出し、本件請求項１に係る発明は甲第１号証記載の発明に基づいて容易に発明をすることができた旨主張しているが上述した理由によりこの主張は採用できない。
　また、同申立人は、甲第１号証における「電源を入れたあと文字を何も打たないで〜」の記載は、あらかじめテストパターンを記憶する記憶手段を備えていることだけではなく、幅の指定は必要ないということであるから自動的にテープ幅が検出されることも示す旨主張しているが、文字を打たなくてもデモ用の文字を印刷できることから該記憶手段を備えていることは認められるものの、テープ幅検出手段を備えていることについては定かとは言えないため、この主張は採用できない。
　ＩＶ．むすび
　したがって、特許異議申立ての理由及び証拠によっては、本件請求項１に係る特許を取り消すことはできない。
　また、他に本件請求項１に係る特許を取り消すべき理由を発見しない。
　よって、結論のとおり決定する。
【異議決定日】
平成１１年８月２６日（１９９９．８．２６）
【訂正の要旨】
　　　　　　　　　訂正の要旨
　▲１▼訂正事項ａ
　特許請求の範囲の請求項１中の「前記テープの幅を検出するテープ幅検出手段と、」を、特許請求の範囲の減縮を目的として、「前記テープを収納したテープカセットに設けられた判別部材に基づいて前記テープの幅を検出するテープ幅検出手段と、前記テープにおける印字可能な最大サイズの大きさの文字を少なくとも含み、」と訂正するものである。
　▲２▼訂正事項ｂ
　特許明細書の段落【０００９】中の「テープの幅を検出するテープ幅検出手段と、」を、訂正事項ａとの整合を図るために、「前記テープを収納したテープカセットに設けられた判別部材に基づいてテープの幅を検出するテープ幅検出手段と、前記テープにおける印字可能な最大サイズの大きさの文字を少なくとも含み、」と訂正するものである。
　▲３▼訂正事項ｃ
　特許明細書の段落【００１０】中の「テープ幅検出手段の検出したテープ幅に対応する」を、訂正事項ａとの整合を図るために、「テープを収納したテープカセットに設けられた判別部材に基づいてテープ幅検出手段の検出したテープ幅に対応するそのテープ幅における印字可能な最大サイズの大きさの文字を少なくとも含む」と訂正するものである。
　▲４▼訂正事項ｄ
　特許明細書の段落【００５９】中の「拘らずテストパターン」を、訂正事項ａどの整合を図るために、「拘らず、テープを収納したテープカセットに設けられた判別部材に基づいてテープ幅検出手段の検出したテープ幅に対応したそのテープ幅における印字可能な最大サイズの大きさの文字を少なくとも含むテストパターンデータを記憶手段から読みだして、テストパターン」と訂正するものである。
（５４）【発明の名称】
テープ印字装置
（５７）【特許請求の範囲】
　　【請求項１】　　所定のキー操作により予め定められたテストパターンを印字手段によりテープ上に印字するテスト印字機能を備えたテープ印字装置において、
　
前記テープを収納したテープカセットに設けられた判別部材に基づいて
　
前記テープにおける印字可能な最大サイズの大きさの文字を少なくとも含み、
　所定のキーが操作されると前記テープ幅検出手段が検出したテープ幅に対応するテストパターンデータを前記記憶手段から読み出して、印字手段により該データに基づいてテストパターンをテープ上に印字する印字制御手段とを備えたことを特徴とするテープ印字装置。
【発明の詳細な説明】
　　　【０００１】
　　【産業上の利用分野】
　本発明は、所定のキー操作により予め定められたテストパターンを印字手段によりテープ上に印字するテスト印字機能を備えたテープ印字装置に関する。
　　　【０００２】
　　【従来の技術】
　従来、ワードプロセッサ等においては、テスト印字機能またはデモ印字機能（が備えられている。このテスト印字機能またはデモ印字機能は、所定にキー操作により予め定められたテストパターンを印刷機能であり、印刷されたテストパターンにより印刷可能な書体や修飾等がわかるようになっている。
　　　【０００３】
　また、特願平３−２１７８６０号の願書に添付された明細書及び図面に記載されているような、キーボードにより入力された文字や記号をサーマルヘッドにてテープ上に印刷するテープ印字装置が知られている。
　　　【０００４】
　　【発明が解決しようとする課題】
　このテープ印字装置では、６ｍｍ、９ｍｍ、１２ｍｍ、１８ｍｍ、２４ｍｍの５種類の幅の異なるテープが装着可能となっており、種々の幅のテープに文字や記号を印刷することができる。また、このテープ印字装置では、様々なサイズの文字を印字することができると共に様々な修飾を行なうことができる。しかしながら、テープの幅によって印字できないサイズの文字や行えない修飾がある。
　　　【０００５】
　上記テープ印字装置においても、前記ワードプロセッサと同様に、印字可能な文字サイズや修飾を確認するためにテスト印字機能やデモ印字機能が必要となる。このテスト印字機構またはデモ印字機能の実行時に印字されるテストパターンは、テープ印字装置の印字可能な全てのサイズの文字と全ての修飾が行なわれた文字とを含んでいる。
　　　【０００６】
　しかしながら、前記テストパターンを印字するためのデータは１種類しか記憶されておらず、テープ印字装置に幅の広いテープが装着されている場合には前記印字パターンを印字することが可能であるが、幅の狭いテープが装着されている場合、前記テストパターンを印字すると、大きなサイズの文字はテープから食み出ることになり、テストパターンをテープに印字することができないという問題が生じる。
　　　【０００７】
　幅の狭いテープに無理に前記テストパターンを印字しようとすると、テープ印字装置はサーマルヘッドとゴム製のプラテンローラとでテープを挟んだ状態でサーマルヘッドを加熱して印字行なうので、テープ幅よりも大きい文字を印字する際、サーマルヘッドの発熱部分が直接プラテンと接触しているので、プラテンが損傷するという問題がある。
　　　【０００８】
本発明は、上述した問題点を解決するためになされたものであり、装着されているテープの幅の種類に拘らずテストパターンを印字することができ、そのテープ幅で印字できる文字や修飾を容易に確認できるテープ印字装置を提供することを目的とする。
　　　【０００９】
　　【課題を解決するための手段】
　この目的を達成するために本発明のテープ印字装置は、所定のキー操作により予め定められたテストパターンを印字手段によりテープ上に印字するテスト印字機能を備えたテープ印字装置であって、
前記テ−プを収納したテ−プカセットに設けられた判別部材に基づいて
前記テープにおける印字可能な最大サイズの大きさの文字を少なくとも含み、
　　　【００１０】
　　【作用】
　上記の構成を有する本発明のテープ印字装置は、所定のキーが操作されると、印字制御手段が、
テープを　収納したテープカセットに設けられた判別部材に基づいて
そのテープ幅における印字可能な最大サイズの大きさの文字を少なくとも含む
　　　【００１１】
　　【実施例】
　以下、本発明を具体化した一実施例を図面を参照して説明する。
　　　【００１２】
　図１はテープカセット収納部の収納カバーを開けて示すテープ印字装置の平面図である。図１において、テープ印字装置１には、文字等のキャラクタを複数行に渡って入力し文書データ（テキスト）からなる複数のテキストファイル（以下、ファイルと称する）を作成するための文字入カキー２、各ファイルの印字を指令する印字キー３、テスト印字を実行するためのテスト印字キー４、改行指令や各種処理の実行を指令するリターンキー５等が設けられたキーボード６、キーボード６から入力された文字等を表示する液晶ディスプレイ７及び後述するテープカセット１３を収納するカセット収納部８が配設されている。尚、テスト印字キー４により本発明の所定のキーが構成される。
　　　【００１３】
　また、カセット収納部８には、図示しないパルスモータにより回転駆動され、テープカセット１３のリボン巻取スプール２１を回動してサーマルインクリボン１７を巻取るリボン巻取軸９が立設されており、又、その斜め前方（キーボード６側）には、後述するテープ送りモータ４０から適宜の伝達機構を介して回転駆動され、後述するテープ送りローラ２７を回動するためのテープ送りローラ軸１０が立設されている。更に、カセット収納部８の前方には、サーマルインクリボン１７を介して後述するフィルムテープ１５上に印字を行うサーマルヘッド１１が固設されている。尚、サーマルヘッド１１により本発明の印字手段が構成される。
　　　【００１４】
　また、カセット収納部８部後方には、テープカセット１３内に収蔵されているフィルムテープ１５等の各種テープ（各テープのテープ幅は１つのテープカセットについては同一のテープ幅を有している）のテープ幅を検出するためのテープ幅検出器Ｋが配設されている。
　　　【００１５】
　このテープ幅検出器Ｋは３つのフォトカップラＰ１、Ｐ２、Ｐ３からなり、かかるフォトカップラＰ１、Ｐ２、Ｐ３には、テープカセット１３のカセット収納部８への装着時にテープカセット１３の裏面から突出する判別部材Ｈが挿嵌され判別部材がフォトカップラＰ１、Ｐ２、Ｐ３を選択的に遮断することによりテープカセット１３内に収蔵されているフィルムテープ１５等の各種テープのテープ幅を検出するものである。
　　　【００１６】
　尚、このテープ幅検出器Ｋにより本発明のテープ幅検出手段が構成される。かかるテープ幅検出器Ｋの構成については特願平３−２１７８６０号願書及び特願平３−２１７８６０号願書の添付した明細書及び図面に記載されたものと同一の構成を有するので、ここではその詳細な説明は省略する。
　　　【００１７】
　また、かかるカセット収納部８は、テープ印字装置１の後方に回動可能に枢支された収納カバー１２により開閉され、開状態でテープカセット１３の交換等が行われる。
　　　【００１８】
　次に、テープカセット１３の構成について図２を参照して説明する。図２はカセット収納部８にテープカセット１３を収納した状態を示す平面図（テープカセット１３は上ケースを除いて示す）である。
　　　【００１９】
　図２において、下ケース１４内には透明なフィルムテープ１５が巻回されたテープスプール１６、サーマルインクリボン１７が巻回されたリボンスプール１８、剥離紙付き両面粘着テープ１９が剥離紙側を外側にして巻回された粘着テープスプール２０が配設されており、これら各スプール１６、１８、２０は図示しない上ケースの下面に設けられた支持部との協働により回転可能に支持されている。
　　　【００２０】
　また、各スプール１６、１８、２０の間にリボン巻取りスプール２１が同様に回転可能に支持されており、かかるリボン巻取リスプール２１は前記したリボン巻取り軸９に嵌合されリボン巻取り軸９の駆動により印字で使用されたサーマルインクリボン１７を巻取る。
　　　【００２１】
　更に、前記したサーマルへッド１１は下ケース１４に設けられた凹部２２に配設され、このサーマルヘッド１１にはローラホルダ２３に回転可能に支持されたプラテンローラ２４が圧接可能な位置に対向配置されている。かかるサーマルヘッド１１は多数の発熱素子（本実施例に係るテープ印字装置１のサーマルヘッド１１では１２８個の発熱素子が設けられている）を有しており、サーマルインクリボン１７を介してフィルムテープ１５に文字等の印字を行なうものである。
　　　【００２２】
　また、下ケース１４のテープ排出部２５（図１、図２中左下側）の近傍にテープ圧接ローラ２６が回転可能に支持され、このテープ圧接ローラ２６にはローラホルダ２３に回転可能に支持されたテープ送りローラ２７が圧接可能な位置に対向配置されている。
　　　【００２３】
　カセット収納部８において、テープカセット１３の前方（図１、図２中下側）には、ローラホルダ２３が支持軸２８により回動可能に枢支され、このローラホルダ２３は図示しない手動の切換機構により印字位置とリリース位置とに切換可能とされている（図１、図２は共に印字位置に切り換えられた状態を示す）。
　　　【００２４】
　かかるローラホルダ２３には、前記したプラテンローラ２４及びテープ送りローラ２７がそれぞれ回転可能に、且つ、ローラホルダ２３が印字位置に切り換えられたときにサーマルヘッド１１及び圧接ローラ２６は図示しないギヤ機構でテープ送りローラ２７と連動して回転駆動される。
　　　【００２５】
　また、圧接ローラ２６及びテープ送りローラ２７は、これらが協働してサーマルヘッド１１によりサーマルインクリボン１７を介して文字等が印字されたフィルムテープ１５に対し両面粘着テープ１９の粘着剤面を圧接し、最終的にテープＴを作成すると共に矢印Ｊ方向にテープＴを送り出すものである。尚、作成されたテープＴはテープカセット１３の左方向側に配設されたカッタ（図示せず）により切断される。かかるカッタの構成については公知のものであるので、ここでは説明を省略する。
　　　【００２６】
　次に、このように構成されるテープ印字装置１の制御系について図３を参照して説明する。図３はテープ印字装置１の制御ブロック図を示し、制御装置３０を核として構成されている。制御装置３０はＣＰＵ３１、ＲＯＭ３２、ＣＧＲＯＭ３３、及び、ＲＡＭ３４からなり、これらはバス３５を介して相互に接続されているとともに、入出力インターフェイス３６にも接続されている。
　　　【００２７】
　ここに、ＲＯＭ３２は各種のプログラムを記憶させておくものであり、後述するテキスト編集制御プログラム、テキスト印字制御プログラム、テスト印字制御プログラム、その他テープ印字装置１の制御上必要な各種プログラムが記憶されている。そして、ＣＰＵ３１はかかるＲＯＭ３２に記憶されている各種プログラムに基づいて各種の演算を行うものである。
　　　【００２８】
　また、ＲＯＭ３２には、図４に示すように、３種類のテスト印字用のテストパターンデータＴＤｌ、ＴＤ２、ＴＤ３を記憶するテストパターンデータ記憶領域３２Ａを備えている。尚、第１テストパターンデータＴＤｌは６ｍｍまたは９ｍｍの幅を有するテープにテストパターンを印字するためのデータであり、第２テストパターンデータＴＤ２は１２ｍｍまたは１８ｍｍの幅を有するテープにテストパターンを印字するためのデータであり、第３テストパターンデータＴＤ３は２４ｍｍの幅を有するテープにテストパターンを印字するためのデータである。尚、ＲＯＭ３２のテストパターンデータ記憶領域３２Ａにより本発明の記憶手段が構成される。
　　　【００２９】
　また、ＣＧＲＯＭ３３には、キーボード６から入力される各キャラクタコードに対応して、表示のためのドットパターンデータと、印字のためにキャラクタの輪郭線を規定する輪郭線データ（アウトラインフォントデータ）がが記憶されており、各キャラクタのキャラクタコードに対応してドットパターンデータがＣＧＲＯＭ３３から読み出されて液晶ディスプレイ７に表示されるとともに、印字の際にはアウトラインフォントデータが読み出されて後述する展開バッファ３４Ｂ上にてドットパターンデータに展開されるものである。
　　　【００３０】
　ＲＡＭ３４はＣＰＵ３１により演算された各種の演算結果を一時的に記憶させておくためのものであり、かかるＲＡＭ３４には図３に示すように各種のメモリが設けられている。
　　　【００３１】
　図３において、テキストメモリ３４Ａはキーボード６から入力されたキャラクタに対応するコードデータを文書データとして順次記憶していくものであり、また、展開バッファ３４Ｂは、テキストメモリ３４Ａに記憶されているキャラクタコードデータに対応してＣＧＲＯＭ３３から読み出されたアウトラインフォントデータが各キャラクタのパターン領域内でドットパターンデータに展開されて記憶されるものであり、更に、印字バッファ３４Ｃは印字時に展開バッファ３４Ｂに記憶されたドットパターンデータが転送され記憶されるものであり、サーマルヘッド１１はかかる印字バッファ３４Ｃに記憶されているドットパターンデータに従って印字を行うものである。更に、テープ幅メモリ３４Ｄはテープ幅検出器Ｋによって検出されたテープ幅を示すテープ幅データを記憶するものである。
　　　【００３２】
　ここで、図３に戻って制御ブロック図の説明を続けると、キーボード６が入出力インターフェイス３６を介して、また、液晶ディスプレイ７、ディスプレイコントローラ３７が入出力インターフェイス３６を介してそれぞれ制御装置３０に接続されており、キーボード６からキャラクタが入力された場合には前記したキャラクタデータがテキストメモリ３４Ａに順次記憶されていくとともに、ドットパターン発生制御プログラム及び表示制御プログラムに基づいてキーボード６を介して入力されたキャラクタに対応するドットパターンが液晶ディスプレイ７上に表示される。
　　　【００３３】
　また、サーマルへッド１１は駆動回路３８を介して駆動され、前記展開バッファ３４Ｂから印字バッファ３４Ｃに転送されたドットパターンデータの印字を行い、これと同期してテープ送りモータ４０は駆動回路３９を介してテープＴを送り制御するものである。
　　　【００３４】
　次に、前記のように構成されたテープ印字装置１の動作について図５乃至図７を参照して説明する。
　　　【００３５】
　図５はテキスト編集制御プログラムのフローチャートを示し、先ず、ステップ（以下、Ｓと略記する）１においてＲＡＭ３４における各メモリのクリア等のイニシャライズ処理（初期化）が行われる。
　　　【００３６】
　次に、キーボード６のいずれかのキーからキー入力があるが否がが判断され（Ｓ２）、キー入力が無い場合（Ｓ２：Ｎｏ）には、キー入力があるまで待機する（Ｓ２）一方、キー入力があった場合（Ｓ２：Ｙｅｓ）には、そのキー入力が文字入カキー２からのものであるか否かが判断される（Ｓ３）。文字入カキー２からのキー入力である場合（Ｓ３：Ｙｅｓ）には、文字入カキー２からのキー入力に応じたキャラクタコードをテキストメモリ３４Ａに格納するテキスト編集処理が実行され（Ｓ４）、その後、Ｓ２に戻る。
　　　【００３７】
　一方、キー入力が文字入カキー２からのものでない場合（Ｓ３：Ｎｏ）には、そのキー入力がテスト印字キー４からのものであるか否かが判断される（Ｓ５）。テスト印字キー４以外のキーからのキー入力である場合（Ｓ５：Ｎｏ）には、入力されたキーに応じた処理が実行される（Ｓ６）。テスト印字キーからのものである場合（Ｓ５：Ｙｅｓ）には、図６に示すテスト印字処置が実行される（Ｓ７）。
　　　【００３８】
　このテスト印字処理が実行されると、先ず、テープ幅検出器Ｋから入力したフォトカップラＰｌ、Ｐ２、Ｐ３から発せられる「Ｈ」信号と「Ｌ」信号との組合せに基づいて、テープカセット１３がテープ印字装置１のカセット収納部８に装着されているか否かが判断される（Ｓ１１）。テープカセット１３が装着されていなければ（Ｓ１１：Ｎｏ）、ブザー（図示せず）を鳴動するとともにテスト印字が実行できない旨のメッセージを液晶ディスプレイ７に表示するエラー処理が実行され（Ｓ１２）、このテスト印字処理を終了して、図５に示すＳ２の処理に戻る。
　　　【００３９】
　一方、テープカセット１３が装着されていれば（Ｓ１１：Ｙｅｓ）、テープ幅検出器Ｋからの信号に基づいて、カセット収納部８に装着されているテープカセット１３内に収蔵されているテープのテープ幅を判断し、そのテープ幅に関するテープ幅データをテープ幅メモリ３４Ｄに記憶する（Ｓ１３）。
　　　【００４０】
　そして、テキストメモリ３４Ａ内にテキストデータが記憶されているか否かを判断し（Ｓ１４）、テキストメモリ３４Ａ内にテキストデータが記憶されていれば、前記エラー処理が実行され（Ｓ１２）、このテスト印字処理を終了して、図５に示すＳ２の処理に戻る。
　　　【００４１】
　一方、テキストメモリ３４Ａ内にテキストデータが全く記憶されていなければ（Ｓ１４：Ｎｏ）、テープ幅メモリ３４Ｄに記憶されているテープ幅データからテープカセット１３に収蔵されているテープの幅が２４ｍｍか否かが判断される（Ｓ１５）。テープ幅データが２４ｍｍを示しているならば（Ｓ１５：Ｙｅｓ）、ＲＯＭ３２のテストパターンデータ記憶領域３２Ａから第３テストパターンデータＴＤ３が読み出されてテキストバッファ３４Ａに記憶される（Ｓ１６）。そして、このテキストバッファ３４Ａに記憶された第３テストパターンデータＴＤ３に基づいて、印字処理が実行される（Ｓ２０）。
　　　【００４２】
　この印字処理は、テキストバッファ３４Ａから順次キャラクタコードが読み出されるとともに、読み出されたキャラクタコードに対応するアウトラインフォントデータがＣＧＲＯＭ３３から読み出され、そのアウトラインフォントデータが展開バッファ３４Ｂ上でドットパターンデータに展開され、さらに、展開されたドットパターンデータが印字バッファ３４Ｃに記憶される。そして、印字バッファ３４Ｃに記憶されたドットパターンデータに基づいて、サーマルヘッド１１の発熱素子が駆動されるとともに、テープ送りモータ４０が駆動されフイルムテープ１５にキャラクタがドットにて印字される。
　　　【００４３】
　上記印字処理による印字結果を図７（ｃ）に示す。図７（ｃ）に示すテストパターンからテープ印字装置１では２４ｍｍの幅を有するテープを使用すると、最大７行の印字が行えることや、２４ｍｍのテープに印字可能な最大サイズの文字の大きさ等を確認することができる。また、印字可能な英文書体や実行可能な修飾も確認することができる。
　　　【００４４】
　テープ幅メモリ３４Ｄに記憶されているテープ幅データが１２ｍｍまたは１８ｍｍを示す場合（Ｓ１５：Ｎｏ、Ｓ１７：Ｙｅｓ）には、前記テストパターンデータ記憶領域３２Ａから第２テストパターンデータＴＤ２が読み出されてテキストバッファ３４Ａに記憶され（Ｓ１８）、この第２テストパターンデータＴＤ２に基づいて、前記印字処理が実行される（Ｓ２０）。
　　　【００４５】
　図７（ｂ）に上記印字処理において、１２ｍｍの幅を有するテープに第２テストパターンデータＴＤ２に基づいて行ったテストパターンの印字結果を示す。図７（ｂ）に示すテストパターンからテープ印字装置１では１２ｍｍの幅を有するテープを使用すると、最大２行までの印字が行えることや、１２ｍｍのテープに印字可能な最大サイズの文字の大きさ等を確認することができる。また、２４ｍｍのテープの場合と同様に、印字可能な英文書体や実行可能な修飾も確認することができる。更に、このテープ印字装置１ではバーコードを印字することができるが、２４ｍｍのテープを使用してバーコードを印字した場合、バーコードの下にそのバーコードにかかる数値データを印字できることが確認できる。
　　　【００４６】
　尚、図示しないが１８ｍｍの幅を有するテープには前記１２ｍｍのテープと同一のテストパターンが印字される。
　　　【００４７】
　テ―プ幅メモリ３４Ｄに記憶されているテープ幅データが６ｍｍまたは１２ｍｍを示す場合（Ｓ１５・Ｓ１７：Ｎｏ）には、前記テストパターンデータ記憶領域３２Ａから第１テストパターンデータＴＤｌが読み出されてテキストバッファ３４Ａに記憶され（Ｓ１９）、この第１テストパターンデータＴＤｌに基づいて、前記印字処理が実行される（Ｓ２０）。更に、１２ｍｍまたは１８ｍｍのテープを使用してバーコードを印字した場合、２４ｍｍのテープの場合と同様に、バーコードの下にそのバーコードにかかる数値データを印字できることが確認できる。
　　　【００４８】
　図７（ａ）に上記印字処理において、６ｍｍの幅を有するテープに第１テストパターンデータＴＤｌに基づいて行ったテストパターンの印字結果を示す。図７（ａ）に示すテストパターンからテープ印字装置１では６ｍｍの幅を有するテープを使用すると、１行しか印字できないことや、６ｍｍのテープに印字可能な最大サイズの文字の大きさ等を確認することができる。また、２４ｍｍのテープの場合と同様に、印字可能な英文書体や実行可能な修飾も確認することができる。更に、６ｍｍのテープを使用してバーコードを印字した場合、バーコードの下にそのバーコードにかかる数値データを印字できないことが確認できる。
　　　【００４９】
　尚、図示しないが１８ｍｍの幅を有するテープには前記１２ｍｍのテープと同一のテストパターンが印字される。
　　　【００５０】
　Ｓ２０において、テキストメモリ３４Ａに記憶されている全てのデータに対して印字処理が実行されると、テスト印字処置が終了して、図５に示すＳ２の処理に戻る。
　　　【００５１】
　尚、制御装置３０が前記Ｓ１５〜Ｓ２０の処理を実行することにより本発明の印字制御手段が構成される。
　　　【００５２】
　以上詳述したように、本実施例のテープ印字装置１では、テスト印字キー４を入力すると、テープカセット１３がカセット収納部８に装着され、且つ、テキストメモリ３４Ａにデータが記憶されていないと、ＲＯＭ３２のテストパターンデータ記憶領域３２Ａに記憶されている複数のテストパターンデータから、テープカセット１３に収蔵されているテープの幅に応じたテストパターンデータが読み出されて、そのテストパターンデータに基づいてテストパターンがテープ上に印字される。
　　　【００５３】
　従って、使用者はテープ印字装置に装着されているテープカセット１３内のテープの幅またはテープの種類を意識しなくてもテスト印字を実行することができる。
　　　【００５４】
　また、このテストパターンを見ることにより、現在テープ印字装置に装着されているテープカセット１３内のテープに印字可能な最大行数、最大文字サイズ、印字可能な英文書体や実行可能な修飾、バーコードの下にそのバーコードにかかる数値データが印字可能か否か等を極めて容易に確認することができる。
　　　【００５５】
　尚、本発明は上記一実施例に限定されるものではなく、その趣旨を逸脱しない範囲において種々の変更を加えることができる。
　　　【００５６】
　例えば、上記実施例においては、６ｍｍと９ｍｍのテープには第１テストパターンデータＴＤｌに基づいて同一にテストパターンを印字し、また１２ｍｍと１８ｍｍのテープにも第２テストパターンデータＴＤ２に基づいて同一のテストパターンを印字しているが、９ｍｍまたは１８ｍｍのテープには、第１テストパターンデータＴＤｌに基づくテストパターンまたは第２テストパターンデータＴＤ２に基づくテストパターンを、そのテープに印字可能な大きさに拡大して印字させることも可能である。
　　　【００５７】
　また、上記実施例では、５種類の幅の異なるテープに対して３種類のテストパターンデータを予めＲＯＭ３２に記憶しているが、各テープに１対１に対応させた５種類のテストパターンデータ記憶させておくことも可能である。
　　　【００５８】
　更に、上記テープ印字装置１では、テスト印字を実行するための専用のテスト印字キー４を設けているが、他のキーを複数組み合わせて操作することによりテスト印字が実行されるように構成してもよい。
　　　【００５９】
　　【発明の効果】
　以上説明したことから明かなように、本発明のテープ印字装置によれば、装着されているテープの幅の種類に拘らず、
テープを収納したテープカセットに設けられた判別部材に基づいてテープ幅検出手段の検出したテープ幅に対応したそのテープ幅における印字可能な最大サイズの大きさの文字を少なくとも含むテストパターンデータを記億手段から読み出して、
【図面の簡単な説明】
　　【図１】
　テープカセット収納部の収納カバーを開けて示すテープ印字装置の平面図である。
　　【図２】
　カセット収納部にテープカセットを収納した状態を示す平面図である。
　　【図３】
　テープ印字装置の制御ブロック図である。
　　【図４】
　ＲＯＭの内容を模式的に示す説明図である。
　　【図５】
　テキスト編集制御プログラムを示すフローチャートである。
　　【図６】
　テスト印字処理を示すフローチャートである。
　　【図７】
　テスト印字処理による印字結果を示す図である。
　　【符号の説明】
　１　　テープ印字装置
　２　　テスト印字キー
１１　　サーマルヘッド
３０　　制御装置
３２　　ＲＯＭ
３２Ａ　テストパターンデータ記憶領域
　Ｋ　　テープ幅検出器
　Ｔ　　テープ